(57)【要約】      （修正有）【課題】被避難者の水平避難を円滑に行える方法を提供する。【解決手段】床面５の搬送予定通路７に、水にチキソトロピー性能をもたらす物質を添加した揺変剤９を塗布する行程と、搬送予定通路７上に布団１０を載置し、布団の上に被避難者Ｈを寝せる行程と、搬送予定通路７の外側から布団１０を引っ張り水平避難させる行程と、を備えている。尚、チキソトロピー性能をもたらす物質は、ベントナイト、モンモリロナイト、又は、スメクタイトを選択することができる。【選択図】図２
2017070513.tif 000002
【特許請求の範囲】
【請求項１】
床面の搬送予定通路に、水にチキソトロピー性能をもたらす物質を添加した揺変剤を塗布する行程と、
前記搬送予定通路上に被避難対象物を載置する行程と、
前記搬送予定通路の外側から前記被避難対象物に力を加えて水平避難させる行程と、
を備えていることを特徴とする水平避難方法。
【請求項２】
床面の搬送予定通路に、水にチキソトロピー性能をもたらす物質を添加した揺変剤を塗布する行程と、
前記搬送予定通路上に介在物を介して被避難対象物を載置する行程と、
前記搬送予定通路の外側から前記介在物に力を加えて水平避難させる行程と、
を備えていることを特徴とする水平避難方法。
【請求項３】
前記チキソトロピー性能をもたらす物質は、ベントナイト、モンモリロナイト、又は、スメクタイトであることを特徴とする請求項１、又は、２記載の水平避難方法。
【請求項４】
前記被避難対象物は、被避難者及び被避難物品であることを特徴とする請求項１、又は、２記載の水平避難方法。
【請求項５】
前記介在物は、布団、又は、シートであることを特徴とする請求項２記載の水平避難方法。
【発明の詳細な説明】
【技術分野】
【０００１】
この発明は、被避難対象物、即ち、高齢者、病人などの被避難者や仏像や彫刻などの被避難物品、を床面等に沿って水平方向に搬送して避難させる、水平避難方法に関するものである。
【背景技術】
【０００２】
従来、火災時に被避難者を避難させる際、車いすなどの乗り物がない場合には、該被避難者を抱きかかえるか、布団やシーツなどに乗せ床面を引きずって安全な場所に避難させている（例えば、特許文献１参照）。
【先行技術文献】
【特許文献】
【０００３】
【特許文献１】特開２０１４−１２８４０６号公報
【発明の概要】
【発明が解決しようとする課題】
【０００４】
しかし、被避難者を布団に乗せて引っ張る場合には、前記被避難者の体重などが前記布団を介して床にかかるので、前記布団と前記床の間には、大きな摩擦抵抗が発生する。そのため、前記布団を引きずる場合には、大きな引張力が必要となるので、スムーズに水平避難させることが困難になることがある。
【０００５】
この発明は、上記事情に鑑み、被避難対象物の水平避難を迅速に行うことを目的とする。
【課題を解決するための手段】
【０００６】
この発明は、床面の搬送予定通路に、水にチキソトロピー性能をもたらす物質を添加した揺変剤を塗布する行程と、前記搬送予定通路上に被避難対象物を載置する行程と、前記搬送予定通路の外側から前記被避対象物に力を加えて水平避難させる行程と、を備えていることを特徴とする。
【０００７】
この発明は、床面の搬送予定通路に、水にチキソトロピー性能をもたらす物質を添加した揺変剤を塗布する行程と、前記搬送予定通路上に介在物を介して被避難対象物を載置する行程と、前記搬送予定通路の外側から前記介在物に力を加えて水平避難させる行程と、を備えていることを特徴とする。
【０００８】
この発明の前記チキソトロピー性能をもたらす物質は、ベントナイト、モンモリロナイト、又は、スメクタイトであることを特徴とする。この発明の前記被避難対象物は、被避難者及び被避難物品であることを特徴とする。この発明の前記介在物は、布団、又は、シートであることを特徴とする。
【発明の効果】
【０００９】
この発明は、以上のように構成したので、揺変剤は塗付時には、高粘度で搬送予定通路にとどまる。そのため、被避難対象物、又は、介在物に力を加える人は、足が前記通路の外側に位置している限り、滑ることがないので、搬送作業を容易に行うことができる。
【００１０】
被避難対象物、又は、介在物に力を加えると、揺変剤の粘度が小さくなり、床面との摩擦抵抗も小さくなるので、従来例に比べ、小さな力で迅速に水平避難させることができる。
【図面の簡単な説明】
【００１１】
【図１】図２のＩ―Ｉ線断面拡大図である。
【図２】本発明の第1実施例を示す平面図である。
【図３】本発明の第２実施例を示す平面図である。
【図４】本発明の第３実施例を示す平面図である。
【発明を実施するための形態】
【００１２】
この発明の第１実施例を図１、図２により説明する。室内Ｒには、噴霧ノズル１が設けられている。この噴霧ノズル１の容器本体３には、水にチキソトロピー性能をもたらす物質を添加した揺変剤９が収容されている。前記チキソトロピー性能をもたらす物質として、例えば、ベントナイト、モンモリロナイト、又は、スメクタイト、が用いられる。なお、噴霧ノズル１は、容器本体３と共に持ち運び可能で、対象の室内Ｒに搬入して使用されるものであるが、室内Ｒに固定設置されていてもよい。
【００１３】
火災発生時に、床面５の搬送予定通路７に向かって噴霧ノズル１から揺変剤９を噴射して塗付し、揺変剤層９ａを形成する。この揺変剤９は塗付時には、高粘度であるので、搬送予定通路７にとどまっている。前記搬送予定通路７として、例えば、障害物等の存在しない、搬送に最適な床面５が選択される。
【００１４】
前記搬送予定通路７に介在物 を載置し、その上に被避難対象物としての被避難者Ｈを寝せる。この介在物として、例えば、布団１０、シートなどが用いられるが、揺変剤９は、水などの液体と異なり布団１０等にしみ込みにくいので、布団１０などが重くなることはない。
【００１５】
前記搬送予定通路７の両側の床面５（揺変剤層９ａのない部分）には、救助者１２，１３が位置しており、該救助者１２，１３は、前記布団１０の先端部の両端を掴んで矢印Ａ７方向に引っ張りながら搬送予定通路７上を水平移動させる。前記揺変剤９は、力を加えると、粘度が小さくなり、床面５との摩擦抵抗も小さくなるので、前記布団１０を小さな力で水平避難させることができる。
【００１６】
水平避難作業完了後、揺変剤９は塗付時と同様に、高粘度で搬送予定通路７にとどまるので、清掃作業などの後始末を容易に行うことができる。ここで、 搬送予定通路７に塗布する液体として、揺変剤９ではなく、例えば粘性の低い流体（純粋な水など）を用いた場合、流体を搬送予定通路７にとどまらせるような処置、例えば堤防を形成するなどの必要があるが、揺変剤９では撒くだけで搬送予定通路７にとどまるため、設備が簡易化できる。また、障害物などを避けて搬送予定通路７を形成することも容易である。
【００１７】
本発明の第２実施例を図３により説明するが、図３において、図１、図２と同一符号は、その名称及び機能も同一である。この実施例と第１実施例との相違点は、次の通りであるが、第１実施例と同様な効果を得ることができる。
【００１８】
（１）介在物として、布団１０の代わりに、箱体２０が用いられていること。
（２）被避難対象物として、被避難者Ｈの代わりに、被避難物品に相当する仏像Ｂが用いられていること。
（３）布団１０を引っ張る代わりに、仏像Ｂを収容した箱体２０の後端部側を救助者１２，１３が矢印Ａ１７方向に押していること。
【００１９】
本発明の第３実施例を図４により説明するが、図４において、図１、図２と同一符号は、その名称及び機能も同一である。この実施例と第１実施例との相違点は、次の通りである。
（１）被避難者Ｈを直接、搬送予定通路７上に寝かせたこと、即ち、介在物を省略したこと。
（２）救助者１２，１３が被避難者Ｈの足を掴まえて避難方向Ａ２７に引っ張ること。
本件実施例でも、被避難者Ｈと床面５との間には、揺変剤層９ａが介在するので、第１実施例と同様な効果を得ることができる。
【００２０】
この発明の実施例は、上記に限定されるものではなく、例えば、介在物の先端部及び後端部を救助者が両側から避難方向に引っ張っても良い。又、介在物の先端部側の救助者が引っ張り、その後端側の救助者が押すようにしても良い。
【符号の説明】
【００２１】
１      噴霧ノズル
５      床面
７      搬送予定通路
９      揺変剤  
９ａ    揺変剤層
１０    布団（介在物）
１２    救助者
１３    救助者
【図１】
2017070513.tif 000003
【図２】
2017070513.tif 000004
【図３】
2017070513.tif 000005
【図４】
2017070513.tif 000006